【事件の表示】
　特許第２５８５５３８号「パチンコ遊技機」の特許に対する特許異議の申立てについて、次のとおり決定する。
【結論】
　訂正を認める。
　特許第２５８５５３８号の特許を維持する。
【理由】
（１）手続の経緯
　特許第２５８５５３８号の特許請求の範囲に記載された発明は、昭和６１年６月１８日に特許出願され、平成８年１２月５日にその特許の設定登録がなされたところ、ユニバーサル販売株式会社より特許異議の申立てがなされ、平成１０年２月１８日付で取消理由通知、平成１１年５月１９日付で訂正拒絶理由通知、平成１１年８月２５日付で取消理由通知がなされ、その指定期間内である平成１１年８月２５日に訂正請求がなされたものである。
（２）訂正の適否についての判断
ア．訂正の内容
訂正事項▲１▼
　特許請求の範囲の第６行目〜第７行目に「排出指令信号に基づいて上記球排出装置の駆動源を制御して所定数の球を排出させる制御手段」とあるのを、
誤記の訂正および特許請求の範囲の減縮を目的として「排出指令信号に基づいて上記球排出装置の駆動源を制御して所定数の遊技球を排出させる制御を、読出し書込み可能なメモリを内蔵し読出し専用メモリに格納されたプログラムに従って実行可能なマイクロコンピュータを含む制御手段」と訂正する。
訂正事項▲２▼
　特許請求の範囲第９行目〜第１０行目に「上記球排出装置には、排出される遊技球の流下を１個宛検出可能な排出球検出器を設け、上記排出球検出器からの検出信号を上記制御手段に供給する」とあるのを、
特許請求の範囲の減縮を目的として「上記球排出装置には、排出される遊技球の流下を１個宛検出する排出球検出器を設け、上記排出球検出器からの検出信号を検出の都度上記制御手段に供給する」と訂正する。
訂正事項▲３▼
　特許請求の範囲第１１行目〜第１２行目に「上記制御手段には、上記排出球検出器からの検出信号に基づいて排出される遊技球を計数して排出数が所定数に達したときに排出を終了させる排出終了手段と、」とあるのを、
特許請求の範囲の減縮を目的として「上記制御手段には、上記排出球検出器からの検出信号に基づいて上記読出し書込み可能なメモリ内に予め設定された所定の排出数に相当する値から上記検出の都度「１」ずつ減算することにより排出される遊技球を計数して排出数が所定数に達したときに排出を終了させる排出終了手段と、」と訂正する。
訂正事項▲４▼
　特許請求の範囲第１３行目〜第１５行目に「上記排出球検出器からの信号に基づいて上記作動部材が作動状態にないのにも拘らず遊技球が排出されて上記排出球検出器から検出信号が出力される上記球排出装置の不適正作動状態を検出する不適正作動状態検出手段とを設けた」とあるのを、
特許請求の範囲の減縮を目的として「上記駆動源へ駆動信号が出力されておらず上記作動部材が遊技球の通過を阻止している状態で、上記球排出装置から実際に排出された遊技球を上記排出球検出器からの検出信号に基づいて不正カウンタにより計数してこの計数値が「１」以上の所定数を越えたときに上記球排出装置の不適正作動状態を検出する不適正作動状態検出手段とを設けた」と訂正する。
訂正事項▲５▼
　［問題を解決するための手段］の欄の第１行目〜第１３行目に「上記問題点を解決するためこの発明は、複数の入賞領域を備えた遊技盤と、流下してくる遊技球の通過を許容したり阻止したりすることで遊技球の排出を制御するための作動部材および該作動部材に関連させた駆動源とを備え１個宛遊技球を排出可能な球排出装置と、上記入賞領域に入賞した遊技球を１個宛検出可能な入賞球検出手段と、排出指令信号に基づいて上記球排出装置の駆動源を制御して所定数の球を排出させる制御手段と、を備えたパチンコ遊技機において、上記球排出装置には、排出される遊技球の流下を１個宛検出可能な排出球検出器を設け、上記排出球検出器からの検出信号を上記制御手段に供給するとともに、上記制御手段には、上記排出球検出器からの検出信号に基づいて排出される遊技球を計数して排出数が所定数に達したときに排出を終了させる排出終了手段と、上記排出球検出器からの信号に基づいて上記作動部材が作動状態にないのにも拘らず遊技球が排出されて上記排出球検出器から検出信号が出力される上記球排出装置の不適正作動状態を検出する不適正作動状態検出手段とを設けるようにした。」とあるのを、
明瞭でない記載の釈明を目的として、「上記問題点を解決するためこの発明は．複数の入賞領域を備えた遊技盤と、流下してくる遊技球の通過を許容したり阻止したりすることで遊技球の排出を制御するための作動部材および該作動部材に関連させた駆動源とを備え１個宛遊技球を排出可能な球排出装置と、上記入賞領域に入賞した遊技球を１個宛検出可能な入賞球検出手段と、排出指令信号に基づいて上記球排出装置の駆動源を制御して所定数の遊技球を排出させる制御を，読出し書込み可能なメモリを内蔵し読出し専用メモリに格納されたプログラムに従って実行可能なマイクロコンピュータを含む制御手段と、を備えたパチンコ遊技機において、上記球排出装置には、排出される遊技球の流下を１個宛検出する排出球検出器を設け、上記排出球検出器からの検出信号を検出の都度上記制御手段に供給するとともに、上記制御手段には、上記排出球検出器からの検出信号に基づいて上記読出し書込み可能なメモリ内に予め設定された所定の排出数に相当する値から上記検出の都度「１」ずつ減算することにより排出される遊技球を計数して排出数が所定数に達したときに排出を終了させる排出終了手段と、上記駆動源へ駆動信号が出力されておらず上記作動部材が遊技球の通過を阻止している状態で、上記球排出装置から実際に排出された遊技球を上記排出球検出器からの検出信号に基づいて不正カウンタにより計数してこの計数値が「１」以上の所定数を越えたときに上記球排出装置の不適正作動状態を検出する不適正作動状態検出手段と、を設けるようにした。」と訂正する。
訂正事項▲６▼
　［効果］の欄の第１行目〜第１３行目に「以上説明したようにこの発明は、複数の入賞領域を備えた遊技盤と、流下してくる遊技球の通過を許容したり阻止したりすることで遊技球の排出を制御するための作動部材および該作動部材に関連させた駆動源とを備え１個宛遊技球を排出可能な球排出装置と、上記入賞領域に入賞した遊技球を１個宛検出可能な入賞球検出手段と、排出指令信号に基づいて上記球排出装置の駆動源を制御して所定数の球を排出させる制御手段と、を備えたパチンコ遊技機において、上記球排出装置には、排出される遊技球の流下を１個宛検出可能な排出球検出器を設け、上記排出球検出器からの検出信号を上記制御手段に供給するとともに、上記制御手段には、上記排出球検出器からの検出信号に基づいて排出される遊技球を計数して排出数が所定数に達したときに排出を終了させる排出終了手段と、上記排出球検出器からの信号に基づいて上記作動部材が作動状態にないのにも拘らず遊技球が排出されて上記排出球検出器から検出信号が出力される上記球排出装置の不適正作動状態を検出する不適正作動状態検出手段とを設けるようにしたので、」とあるのを、
明瞭でない記載の釈明を目的として、「以上説明したようにこの発明は、複数の入賞領域を備えた遊技盤と、流下してくる遊技球の通過を許容したり阻止したりすることで遊技球の排出を制御するための作動部材および該作動部材に関連させた駆動源とを備え１個宛遊技球を排出可能な球排出装置と、上記入賞領域に入賞した遊技球を１個宛検出可能な入賞球検出手段と、排出指令信号に基づいて上記球排出装置の駆動源を制御して所定数の遊技球を排出させる制御を、読出し書込み可能なメモリを内蔵し読出し専用メモリに格納されたプログラムに従って実行可能なマイクロコンピュータを含む制御手段と、を備えたパチンコ遊技機において、上記球排出装置には、排出される遊技球の流下を１個宛検出する排出球検出器を設け、上記排出球検出器からの検出信号を検出の都度上記制御手段に供給するとともに、上記制御手段には、上記排出球検出器からの検出信号に基づいて上記読出し書込み可能なメモリ内に予め設定された所定の排出数に相当する値から上記検出の都度「１」ずつ減算することにより排出される遊技球を計数して排出数が所定数に達したときに排出を終了させる排出終了手段と、上記駆動源へ駆動信号が出力されておらず上記作動部材が遊技球の通過を阻止している状態で、上記球排出装置から実際に排出された遊技球を上記排出球検出器からの検出信号に基づいて不正カウンタにより計数してこの計数値が「１」以上の所定数を越えたときに上記球排出装置の不適正作動状態を検出する不適正作動状態検出手段と、を設けるようにしたので、」と訂正する。
イ．訂正の目的の適否、新規事項の有無及び拡張・変更の存否
　上記訂正事項▲１▼の「遊技球を排出」は、特許請求の範囲の第２行目の「遊技球の排出を」とある記載に整合させるためのものであって、誤記の訂正に該当し、同じく「制御手段」は、制御手段を限定するものであって、特許請求の範囲の減縮に該当する。
　上記訂正事項▲２▼の「検出信号を検出の都度上記制御手段に供給する」は、特許請求の範囲の減縮に該当し、同じく「排出される遊技球の流下を１個宛検出可能な排出検出器」は、明瞭でない記載の釈明に該当する。
　上記訂正事項▲３▼の「排出終了手段」は、排出終了手段を限定するものであって、特許請求の範囲の減縮に該当する。
　上記訂正事項▲４▼の「不適正作動状態検出手段」は、不適正作動状態検出手段を限定するものであって、特許請求の範囲の減縮に該当する。
　上記訂正事項▲５▼及び▲６▼は、「発明の詳細な説明」を、特許請求の範囲の記載に整合させるためのものであって、明瞭でない記載の釈明に該当する。
　上記訂正事項▲１▼〜▲６▼は、いずれも願書に添付した明細書又は図面に記載された事項の範囲内のものであって、実質的に特許請求の範囲を拡張又は変更するものではない。
ウ．独立特許要件の判断
（訂正明細書の発明）
　訂正明細書の特許請求の範囲に記載された発明（以下、本件の発明という。）は、その特許請求の範囲に記載されたとおりのものである。
「複数の入賞領域を備えた遊技盤と、
　流下してくる遊技球の通過を許容したり阻止したりすることで遊技球の排出を制御するための作動部材および該作動部材に関連させた駆動源とを備え１個宛遊技球を排出可能な球排出装置と、
　上記入賞領域に入賞した遊技球を１個宛検出可能な入賞球検出手段と、
　排出指令信号に基づいて上記球排出装置の駆動源を制御して所定数の遊技球を排出させる制御を、読出し書込み可能なメモリを内蔵し読出し専用メモリに格納されたプログラムに従って実行可能なマイクロコンピュータを含む制御手段と、を備えたパチンコ遊技機において、
　上記球排出装置には、排出される遊技球の流下を１個宛検出する排出球検出器を設け、上記排出球検出器からの検出信号を検出の都度上記制御手段に供給するとともに、
　上記制御手段には、
　上記排出球検出器からの検出信号に基づいて上記読出し書込み可能なメモリ内に予め設定された所定の排出数に相当する値から上記検出の都度「１」ずつ減算することにより排出される遊技球を計数して排出数が所定数に達したときに排出を終了させる排出終了手段と、
　上記駆動源へ駆動信号が出力されておらず上記作動部材が遊技球の通過を阻止している状態で、上記球排出装置から実際に排出された遊技球を上記排出球検出器からの検出信号に基づいて不正力ウンタにより計数してこの計数値が「１」以上の所定数を越えたときに上記球排出装置の不適正作動状態を検出する不適正作動状態検出手段と、
を設けたことを特徴とするパチンコ遊技機。」
（引用刊行物）
　本件の発明に対して、当審が平成１０年２月１８日付の取消理由で引用した刊行物１、２には、それぞれ以下のとおり記載されている。
刊行物１（特開昭５９−２０３５８１号公報）（甲第１号証）
「盤面の適宜位置に入賞領域としての入賞チャッカー１５、入賞口…が設けられ、」（第３頁右下欄第１７〜１９行）、
「賞品球排出装置４０は、…スプロケット４２と駆動源のパルスモータ４１で構成し、」（第５頁左上欄第４〜７行）、
「賞品球排出装置４０は、…１個宛順次、所定数に達するまでスプロケット４２を回動させるものである。」（第５頁左上欄第９〜１５行）、
「上記スプロケット４２の外周には、パチンコ球が係合可能な例えば６個の凹部４２ａと６個の爪部４２ｂとが形成されている。」（第６頁左上欄第２０行〜右上欄第２行）、
「爪部４２ｂに当接した賞品球Ｂは流出しないように係止され、凹部４２ａに係合した賞品球Ｂ’は…スプロケット４２が回転すると爪部４２ｂによって分離され、下方の排出樋４４に流下せしめられるようになっている。」（第６頁右上欄第１０〜１６行）、
「上記阻止プレート４３にはＬ字状の切欠きが形成され、この切欠きには第９図に示すごとく、複数個のセンサ４５ａ〜４５ｄを備えた排出球検出器４５が設けられている。上記センサ４５ａ〜４５ｄのうち４５ａと４５ｂは、出口部２５ｃ１と２５Ｃ２内に次に排出されるべき球があるか否かを検出し、センサ４５ｃと４５ｄはその球が排出されたか否かを確認するためのもので、」（第６頁左下欄第１１〜１８行）、
「上記排出球検出器５５から出力される信号をカウントして所定数に達した時点で出力される排出終了信号によってモータが停止され、一回の排出動作を終了する。」（第６頁右下欄第２〜６行）、
「上記入賞球分離器６０は、例えば第１１図のように構成されている。…可動片６１の下方には、入賞球検出用のマイクロスイッチ５５が配設され、」（第６頁右下欄第７〜１３行）、
「入賞球分離器６０において入賞球が一つずつ分離されて入賞球ごとに検知信号が出力され、」（第７頁右上欄第１〜３行）、
「第１２図は上記賞品球排出装置４０および入賞球分離器６０の電気的な制御システム」（第７頁右上欄第４〜５行）、
「入賞球検出器（マイクロスイッチ）５５から個々の入賞球ごとに発生される入賞検知信号（パルス）は、信号形成回路５１に供給される。この入賞検知信号に基づいて駆動信号が形成されて、賞品球排出装置４０内のモータ４１に供給され、排出が開始される。」（第７頁右上欄第７〜１２行）、
「モータ４１が駆動されて排出が開始されると、排出球検出器４５から排出球ごとにパルス信号が出力され、カウンタ５２に供給されて計数される。カウンタ５２の計数値は、設定器５３内の設定値とともに比較回路５４に供給されて比較される。設定器５３には一個の入賞球に対して払い出すベき賞品球数がセットされるようになっており、カウンタ５２の計数値が設定値に一致すると比較回路５４から排出終了信号が出力される。この終了信号によって賞品球排出装置のモータ４１が停止される」（第７頁右上欄第１７行〜左下欄第７行）、
「排出球が所定数に達すると、賞品球の排出が終了され、」（第７頁左下欄第９〜１０行）、
刊行物２（特開昭５８−１６５８７７号公報）（甲第３号証）
「回転軸１５には計数センサ２５の穴明き円板２６が取付けられ、この穴明円板２６を挟んで発光ダイオード２７とフォトトランジスタ２８とが対設される。円板２６の外周に形成した透孔２９は、歯車１７の歯部１７Ａと同一間隔で同一数形成され、歯車１７が回転するのに伴って、発光ダイオード２７からの光を透孔２９が通すたびにフォトトランジスタ２８がこれを感知する。したがって計数センサ２５の出力は歯車１７を回わしつつ流れ出た玉数に等しいパルスとなる。」（第２頁左下欄第１４行〜右下欄第４行）、
「出玉制御部５２はプリセットカウンタなどで構成され、セーフ玉信号ｅ´の入力をトリガして、出玉コントローラ２の作動により計数された出玉数信号ｄがプリセット値と一致するまで、出玉コントローラ２の電磁石１９へ励磁信号（玉出信号）を出力する。」（第３頁左下欄第８〜１３行）、
「出玉コントローラ２は、電磁石１９の励磁中はブレーキが解除され、歯車１７を回わしつつ玉が出され、消磁されるとスプリングブレーキがかかり、玉出しが終る。」（第３頁左下欄第１４〜１７行）、
「出玉コントローラ２と直列に出玉数を計数するセンサを設けておき、出玉数に誤りがないかをチェックするもので、それぞれの計数信号ｄ１とｄ２とが一致していれば、その信号を出玉数信号ｄとして、アンド回路６２を介してカウンタ６３に出力する。」（第３頁右下欄第９〜１４行）、
「アンド回路６２はｄ１とｄ２が一致するときにＯＮとなる一致回路６１の出力によりゲートを開き、カウント値ｄ１を出玉数信号ｄとして取り出す。」（第３頁右下欄第１７〜２０行）、
「アンド回路６４は出玉コントローラ２のロック不良を判別するもので、前述の玉出信号Ｄのインバータ６５を介しての出力Ｄと、出玉数信号ｄをみて、玉出信号Ｄが出力されていないにもかかわらず玉が出ているときは、ロック不良であるとして警報信号Ｑを出力する。」（第４頁左上欄第９〜１４行）、
（対比・判断）
　本件の発明と、上記刊行物１、２に記載された発明とを対比すると、これらの刊行物に記載の発明は、本件の発明の「上記駆動源へ駆動信号が出力されておらず上記作動部材が遊技球の通過を阻止している状態で、上記球排出装置から実際に排出された遊技球を上記排出球検出器からの検出信号に基づいて不正カウンタにより計数してこの計数値が「１」以上の所定数を越えたときに上記球排出装置の不適正作動状態を検出する不適正作動状態検出手段」の構成を備えておらず、また、これを示唆する記載も認められない。本件の発明は、上記構成を備えることにより、「作動部材が作動状態にないにも拘らず遊技球が排出されて上記排出検出器から検出信号が出力される上記球排出装置の不適正な状態が検出可能になり、遊技客による球排出装置に対する不正を防止し、もってパチンコ遊技の健全化を図るとともに、パチンコ遊技店が不測の損害を被るおそれをなくし、経営の安定化を図ることができる」という顕著な効果を奏するものであるから、本件の発明が、上記刊行物１、２に記載された発明でないことは明らかであり、かつこれらの刊行物記載のものから容易に発明をすることができたものともいえない。
　したがって、本件の発明は、特許出願の際、独立して特許を受けることができないとすることはできない。
エ．むすび
　以上のとおりであるから、上記訂正請求は、特許法第１２０条の４第２項の規定に適合し、同条第３項で準用する第１２６条第２−４項の規定に違反しないので、上記訂正請求を認める。
（３）特許異議申立てについての判断
ア．申立ての理由の概要
　申立人ユニバーサル販売株式会社は、本件の発明は、甲第１号証（特開昭５９−２０３５８１号公報）、甲第２号証（特開昭６１−１０３４６６号公報）、甲第３号証（特開昭５８−１６５８７７号公報）に記載された発明に基づいて、その発明の属する技術の分野における通常の知識を有する者が容易に発明をすることができたものであるから、特許法第２９条第２項の規定により特許を受けることができないものであり、特許法第１１３条第１項第２号の規定により特許を取り消されるべきと主張している。
イ．甲第２号証の記載事項
「この発明はパチンコ遊技店に配置されるパチンコ遊技機の賞球排出装置や自動玉貸し機等の玉排出装置における玉計数排出装置に関する。」（第１頁左下欄第２０行〜右下欄第２行）、
「ストッパ４８は…回動軸４９の軸心を中心とする円盤を概ね１／４に切断した形状であり、回動軸４９に回動自在に支持（指示は誤記）されている。このストッパ４８に植設されたピン４１０はその一端をビス４１１に係止されたスプリング４１２の他の一端に係止され、ビス４１１方向の引張力を受けるとともに、ストッパ４８に植設されたピン４１３は作動杆４１４を介してソレノイド４１５と連結されている。従って、ソレノイド４１５が消磁された初期状態では、ストッパ４８は…パチンコ球６０の通過経路内に侵入してパチンコ球６０の通過を遮断する。又、ソレノイド４１５を励磁すると、ストッパ４８は…パチンコ球６０の通過経路外に脱出してパチンコ球６０を通過させる。」（第４頁右上欄第４行〜左下欄第３行）、
ウ．判断
　上記甲１、３号証（当審で引用した刊行物１、２）に記載された発明は「上記駆動源へ駆動信号が出力されておらず上記作動部材が遊技球の通過を阻止している状態で、上記球排出装置から実際に排出された遊技球を上記排出球検出器からの検出信号に基づいて不正カウンタにより計数してこの計数値が「１」以上の所定数を越えたときに上記球排出装置の不適正作動状態を検出する不適正作動状態検出手段」の構成を備えていないことは、上記（２）ウで述べたとおりであって、また、上記甲第２号証に記載された発明も、上記構成を備えておらず、これを示唆する記載も認められないから、本件の発明は、これら甲各号証に基づいて、当業者が容易に発明をすることができたものとすることはできない。
エ．むすび
　以上のとおりであるから、特許異議申立ての理由及び証拠によっては、本件の発明の特許を取り消すことはできない。
　また、他に本件の発明の特許を取り消すべき理由を発見しない。
　　よって、結論のとおり決定する。
【異議決定日】
平成１１年９月２２日（１９９９．９．２２）
【訂正の要旨】
　訂正の要旨
　特許第２５８５５３８号発明の明細書を下記のとおり訂正する。
訂正事項▲１▼
　特許請求の範囲の第６行目〜第７行目に「排出指令信号に基づいて上記球排出装置の駆動源を制御して所定数の球を排出させる制御手段」とあるのを、
誤記の訂正および特許請求の範囲の減縮を目的として「排出指令信号に基づいて上記球排出装置の駆動源を制御して所定数の遊技球を排出させる制御を、読出し書込み可能なメモリを内蔵し読出し専用メモリに格納されたプログラムに従って実行可能なマイクロコンピュータを含む制御手段」と訂正する。
訂正事項▲２▼
　特許請求の範囲第９行目〜第１０行目に「上記球排出装置には、排出される遊技球の流下を１個宛検出可能な排出球検出器を設け、上記排出球検出器からの検出信号を上記制御手段に供給する」とあるのを、
特許請求の範囲の減縮を目的として「上記球排出装置には、排出される遊技球の流下を１個宛検出する排出球検出器を設け、上記排出球検出器からの検出信号を検出の都度上記制御手段に供給する」と訂正する。
訂正事項▲３▼
　特許請求の範囲第１１行目〜第１２行目に「上記制御手段には、上記排出球検出器からの検出信号に基づいて排出される遊技球を計数して排出数が所定数に達したときに排出を終了させる排出終了手段と、」とあるのを、
特許請求の範囲の減縮を目的として「上記制御手段には、上記排出球検出器からの検出信号に基づいて上記読出し書込み可能なメモリ内に予め設定された所定の排出数に相当する値から上記検出の都度「１」ずつ減算することにより排出される遊技球を計数して排出数が所定数に達したときに排出を終了させる排出終了手段と、」と訂正する。
訂正事項▲４▼
　特許請求の範囲第１３行目〜第１５行目に「上記排出球検出器からの信号に基づいて上記作動部材が作動状態にないのにも拘らず遊技球が排出されて上記排出球検出器から検出信号が出力される上記球排出装置の不適正作動状態を検出する不適正作動状態検出手段とを設けた」とあるのを、
特許請求の範囲の減縮を目的として「上記駆動源へ駆動信号が出力されておらず上記作動部材が遊技球の通過を阻止している状態で、上記球排出装置から実際に排出された遊技球を上記排出球検出器からの検出信号に基づいて不正カウンタにより計数してこの計数値が「１」以上の所定数を越えたときに上記球排出装置の不適正作動状態を検出する不適正作動状態検出手段とを設けた」と訂正する。
訂正事項▲５▼
　［問題を解決するための手段］の欄の第１行目〜第１３行目に「上記問題点を解決するためこの発明は、複数の入賞領域を備えた遊技盤と、流下してくる遊技球の通過を許容したり阻止したりすることで遊技球の排出を制御するための作動部材および該作動部材に関連させた駆動源とを備え１個宛遊技球を排出可能な球排出装置と、上記入賞領域に入賞した遊技球を１個宛検出可能な入賞球検出手段と、排出指令信号に基づいて上記球排出装置の駆動源を制御して所定数の球を排出させる制御手段と、を備えたパチンコ遊技機において、上記球排出装置には、排出される遊技球の流下を１個宛検出可能な排出球検出器を設け、上記排出球検出器からの検出信号を上記制御手段に供給するとともに、上記制御手段には、上記排出球検出器からの検出信号に基づいて排出される遊技球を計数して排出数が所定数に達したときに排出を終了させる排出終了手段と、上記排出球検出器からの信号に基づいて上記作動部材が作動状態にないのにも拘らず遊技球が排出されて上記排出球検出器から検出信号が出力される上記球排出装置の不適正作動状態を検出する不適正作動状態検出手段とを設けるようにした。」とあるのを、
明瞭でない記載の釈明を目的として、「上記問題点を解決するためこの発明は．複数の入賞領域を備えた遊技盤と、流下してくる遊技球の通過を許容したり阻止したりすることで遊技球の排出を制御するための作動部材および該作動部材に関連させた駆動源とを備え１個宛遊技球を排出可能な球排出装置と、上記入賞領域に入賞した遊技球を１個宛検出可能な入賞球検出手段と、排出指令信号に基づいて上記球排出装置の駆動源を制御して所定数の遊技球を排出させる制御を，読出し書込み可能なメモリを内蔵し読出し専用メモリに格納されたプログラムに従って実行可能なマイクロコンピュータを含む制御手段と、を備えたパチンコ遊技機において、上記球排出装置には、排出される遊技球の流下を１個宛検出する排出球検出器を設け、上記排出球検出器からの検出信号を検出の都度上記制御手段に供給するとともに、上記制御手段には、上記排出球検出器からの検出信号に基づいて上記読出し書込み可能なメモリ内に予め設定された所定の排出数に相当する値から上記検出の都度「１」ずつ減算することにより排出される遊技球を計数して排出数が所定数に達したときに排出を終了させる排出終了手段と、上記駆動源へ駆動信号が出力されておらず上記作動部材が遊技球の通過を阻止している状態で、上記球排出装置から実際に排出された遊技球を上記排出球検出器からの検出信号に基づいて不正カウンタにより計数してこの計数値が「１」以上の所定数を越えたときに上記球排出装置の不適正作動状態を検出する不適正作動状態検出手段と、を設けるようにした。」と訂正する。
訂正事項▲６▼
　［効果］の欄の第１行目〜第１３行目に「以上説明したようにこの発明は、複数の入賞領域を備えた遊技盤と、流下してくる遊技球の通過を許容したり阻止したりすることで遊技球の排出を制御するための作動部材および該作動部材に関連させた駆動源とを備え１個宛遊技球を排出可能な球排出装置と、上記入賞領域に入賞した遊技球を１個宛検出可能な入賞球検出手段と、排出指令信号に基づいて上記球排出装置の駆動源を制御して所定数の球を排出させる制御手段と、を備えたパチンコ遊技機において、上記球排出装置には、排出される遊技球の流下を１個宛検出可能な排出球検出器を設け、上記排出球検出器からの検出信号を上記制御手段に供給するとともに、上記制御手段には、上記排出球検出器からの検出信号に基づいて排出される遊技球を計数して排出数が所定数に達したときに排出を終了させる排出終了手段と、上記排出球検出器からの信号に基づいて上記作動部材が作動状態にないのにも拘らず遊技球が排出されて上記排出球検出器から検出信号が出力される上記球排出装置の不適正作動状態を検出する不適正作動状態検出手段とを設けるようにしたので、」とあるのを、
明瞭でない記載の釈明を目的として、「以上説明したようにこの発明は、複数の入賞領域を備えた遊技盤と、流下してくる遊技球の通過を許容したり阻止したりすることで遊技球の排出を制御するための作動部材および該作動部材に関連させた駆動源とを備え１個宛遊技球を排出可能な球排出装置と、上記入賞領域に入賞した遊技球を１個宛検出可能な入賞球検出手段と、排出指令信号に基づいて上記球排出装置の駆動源を制御して所定数の遊技球を排出させる制御を、読出し書込み可能なメモリを内蔵し読出し専用メモリに格納されたプログラムに従って実行可能なマイクロコンピュータを含む制御手段と、を備えたパチンコ遊技機において、上記球排出装置には、排出される遊技球の流下を１個宛検出する排出球検出器を設け、上記排出球検出器からの検出信号を検出の都度上記制御手段に供給するとともに、上記制御手段には、上記排出球検出器からの検出信号に基づいて上記読出し書込み可能なメモリ内に予め設定された所定の排出数に相当する値から上記検出の都度「１」ずつ減算することにより排出される遊技球を計数して排出数が所定数に達したときに排出を終了させる排出終了手段と、上記駆動源へ駆動信号が出力されておらず上記作動部材が遊技球の通過を阻止している状態で、上記球排出装置から実際に排出された遊技球を上記排出球検出器からの検出信号に基づいて不正カウンタにより計数してこの計数値が「１」以上の所定数を越えたときに上記球排出装置の不適正作動状態を検出する不適正作動状態検出手段と、を設けるようにしたので、」と訂正する。
（５４）【発明の名称】
パチンコ遊技機
（５７）【特許請求の範囲】
　　複数の入賞領域を備えた遊技盤と、
　流下してくる遊技球の通過を許容したり阻止したりすることで遊技球の排出を制御するための作動部材および該作動部材に関連させた駆動源とを備え１個宛遊技球を排出可能な球排出装置と、
　上記入賞領域に入賞した遊技球を１個宛検出可能な入賞球検出手段と、
　排出指令信号に基づいて上記球排出装置の駆動源を制御して所定数の遊技球を排出させる制御を、読出し書込み可能なメモリを内蔵し読出し専用メモリに格納されたプログラムに従って実行可能なマイクロコンピュータを含む制御手段と、
を備えたパチンコ遊技機において、
　上記球排出装置には、排出される遊技球の流下を１個宛検出する排出球検出器を設け、上記排出球検出器からの検出信号を検出の都度上記制御手段に供給するとともに、
　上記制御手段には、
　上記排出球検出器からの検出信号に基づいて上記読出し書込み可能なメモリ内に予め設定された所定の排出数に相当する値から上記検出の都度「１」ずつ減算することにより排出される遊技球を計数して排出数が所定数に達したときに排出を終了させる排出終了手段と、
　上記駆動源へ駆動信号が出力されておらず上記作動部材が遊技球の通過を阻止している状態で、上記球排出装置から実際に排出された遊技球を上記排出球検出器からの検出信号に基づいて不正カウンタにより計数してこの計数値が「１」以上の所定数を越えたときに上記球排出装置の不適正作動状態を検出する不適正作動状態検出手段と、
を設けたことを特徴とするパチンコ遊技機。
【発明の詳細な説明】
［産業上の利用分野］
　この発明は、流下経路内にストッパ（流下阻止部材）を進入させたり、後退させたりすることで賞品球の排出を行なうストッパ式賞品球排出装置を備えたパチンコ遊技機に利用して効果的な技術に関する。
［従来技術］
　従来のパチンコ遊技機における賞品球排出装置は揺動可能な球鞘ケースを用いたものが一般的であり、その球鞘ケースは入賞球を一個ずつ分離して、その分離された球の重みで回転されるレバーの動きを物理的に伝達することで揺動されるようになっていた。
　しかるに、最近のパチンコ機においては、いわゆるラッキーセブンと呼ばれる多量の賞品球を獲得可能な状態を作り出す大型の変動入賞装置を有するものが多くなっている。
　そして、このような大型の変動入賞装置を有するパチンコ遊技機では、同時もしくは連続した入賞球が生ずる機会が多い。しかしながら、入賞球によって生ずる物理的な力の伝達により作動される従来の球鞘ケース式の賞品球排出装置では、各機構部の摩擦などにより高速化にも限界がある。
　そこで遊技盤の裏面上部に配設された貯留タンクの底面開口部に一端が望む案内樋を、他端に向かって緩やかに下り傾斜するように配設すると共に、この誘導樋の終端には、流下経路を構成する樋とこの流下経路内に進入可能な流下阻止部材とこの流下阻止部材の駆動源とからなり、上記流下阻止部材を流下経路内に進入させたり後退させることにより、所定数の球の排出を行なうように構成された賞品球排出装置（以下ストッパ式賞品球排出装置と称する）が提案されている。
［発明が解決しようとする問題点］
　しかしながら、上記のような電気的に制御可能なストッパ式の賞品球排出装置を使用した従来のパチンコ遊技機にあっては、単に流下阻止部材の駆動源の作動、停止を制御するだけで、賞品球排出装置が適正な状態で作動しているか否か確認する手段を有していなかった。
　そのため、遊技客がパチンコ遊技機内にピアノ線等を挿入して流下阻止部材を強制的に開放させ、賞品球を不正に排出させるような行為を行なってもこれを検知できず、不当な利益を獲得されるおそれがあるという問題点があった。
［発明の目的］
　この発明の目的は、遊技客による賞品球排出装置に対する不正を防止し、もってパチンコ遊技の健全化を図るとともに、パチンコ遊技店が不測の損害を被るおそれをなくし、経営の安定化を図ることができるようなパチンコ遊技機を提供することにある。
［問題を解決するための手段］
　上記問題点を解決するためこの発明は、複数の入賞領域を備えた遊技盤と、流下してくる遊技球の通過を許容したり阻止したりすることで遊技球の排出を制御するための作動部材および該作動部材に関連させた駆動源とを備え１個宛遊技球を排出可能な球排出装置と、上記入賞領域に入賞した遊技球を１個宛検出可能な入賞球検出手段と、排出指令信号に基づいて上記球排出装置の駆動源を制御して所定数の遊技球を排出させる制御を、読出し書込み可能なメモリを内蔵し読出し専用メモリに格納されたプログラムに従って実行可能なマイクロコンピュータを含む制御手段と、を備えたパチンコ遊技機において、上記球排出装置には、排出される遊技球の流下を１個宛検出する排出球検出器を設け、上記排出球検出器からの検出信号を検出の都度上記制御手段に供給するとともに、上記制御手段には、上記排出球検出器からの検出信号に基づいて上記読出し書込み可能なメモリ内に予め設定された所定の排出数に相当する値から上記検出の都度「１」ずつ減算することにより排出される遊技球を計数して排出数が所定数に達したときに排出を終了させる排出終了手段と、上記駆動源へ駆動信号が出力されておらず上記作動部材が遊技球の通過を阻止している状態で、上記球排出装置から実際に排出された遊技球を上記排出球検出器からの検出信号に基づいて不正カウンタにより計数してこの計数値が「１」以上の所定数を越えたときに上記球排出装置の不適正作動状態を検出する不適正作動状態検出手段とを設けるようにした。
［作用］
　上記した手段によると、作動部材が作動状態にないのにも拘らず遊技球が排出されて上記排出球検出器から検出信号が出力される上記球排出装置の不適正な状態が検出可能になる。
［実施例］
　第１図は本発明に係るパチンコ遊技機の裏機構の構成例を示す。
　裏機構盤１の上部には予備球の貯留タンク２が配設され、この貯留タンク２の一端には内部の予備球を自作用的に整列させて誘導する案内樋１１が接続されている。案内樋１１は２条の通路を有してゆるやかに傾斜され、かつ途中に振り子式の球ナラシ３と押圧式の球ナラシ４とが設けられており、これによって、予備球は案内樋１１を流下する間に２列に整列される。
　そして、上記案内樋１１の流下端部に、球排出装置としてのストッパ式の賞品球排出装置２０（第４図参照）が、配設してある。パチンコ遊技機１００（第２図参照）の前面の遊技盤内に設けられた入賞口へ入賞した打球が、裏面に回収されて集合棚１０によって一箇所に集められ、入賞球処理装置４０によって一個ずつ分離されて入賞球検出器９１によって検出され、その結果排出指令信号が形成される。すると、賞品球排出装置２０が一回だけ作動されて所定数（例えば１３個）の賞品球が排出される。入賞球処理装置４０によって分離、検出された入賞球は導出樋１２を通って遊技機後方の回収樋（図示省略）に排出される。賞品球排出装置２０による賞品球排出が終了すると、その排出終了信号を受けて入賞球処理装置４０が次の入賞球の分離、検出を行なう。
　一方、賞品球排出装置２０によって排出された賞品球は、賞品球導出樋１３を通って供給口１４より遊技機前面の供給皿１０１（第２図参照）に流出される。供給皿１０１が一杯になると、賞品球は分流樋１５を通って遊技機前面下方の受け皿１０２に排出される。受け皿１０２が一杯になると、分流樋１５の途中に設けられたオーバフロー検出器９２によって検出され、例えば打球発射装置１０３の駆動を停止させるようになっている。
　オーバフロー検出器９２によって受け皿のオーバフロー状態が検出されたときこれを遊技者に報知するため、オーバフロー表示器１１３が遊技機の前面に設けられている。
　遊技機１００の前面には、上記オーバーフロー表示器１１３の他に、入賞球の発生に応じて賞品球が排出される度ごとに点灯される賞球ランプ１１１、貯留タンク２が空になったときや排出された賞品球が予め定められた数に達した場合に点灯される完了ランプ１１２、ピアノ線等の挿入により故意に賞品球排出装置２０を作動させるような不正があった場合に点灯もしくは点滅される不正警告表示ランプ１１４、賞品球排出装置等における球詰まりや排出用ソレノイド、排出センサ等が故障した場合に点灯もしくは点滅される動作不良表示ランプ１１５、一個の入賞球に対応して払い出される賞品球数を表示する賞球数表示器１１６、打球発射装置１０３の発射モータが駆動されている間点灯されるパイロットランプ１１７のような各種表示装置が配設されている。上記賞球数表示器１１６は、例えば３種類の賞球数が記述された透明板とその後方にそれぞれ配設された３個のランプとからなり、設定器（後述）によって設定された賞球数に対応したランプが選択的に点灯されることにより表示が行なわれる。
　１０５は、遊技盤に打ち込まれた打球のうち、入賞口へ入賞しなかった打球を遊技盤背部へ回収するためのアウト穴、９３は貯留タンク２内に予備球がなくなったとき、これを検出するための球不足検出器である。
　また、上記賞品球排出装置２０の下方には、賞品球導出樋１３と並行して球抜樋１６が設けられ、球抜き樋１６の入口すなわち賞品球導出樋１３との分岐点には、切替えゲートを有する球抜き装置６０が配設されている。この球抜き装置６０は、遊技機の保持枠１０４の前面に形成された操作穴１０６より、ピンもしくはワイヤのような工具を挿入することによってゲートを作動させることができるようになっている。そして切替えゲートが球抜き樋１６側に切り換えられると、球抜きスイッチ８４がオンされるようになっている。
　従来の球鞘ケースを用いたパチンコ遊技機では、球抜き用のゲートが賞品球排出装置２０の上流側に配設されていたので、球抜きを行なっても途中に球が残ってしまったが、この実施例では球抜き装置６０が賞品球排出装置２０の下流側にあるので、すべての球を抜くことができ、パチンコ店のデータの集計が正確に行なえる。
　球抜き樋１６の下端は、アウト穴１０５より回収されたアウト球を誘導するアウト球導出樋１７と合流され、パチンコ店の島設備下方に配設された回収樋（図示省略）に向かって回収球を流出するようになっている。
　さらに、裏機構盤１には、上記賞品球排出装置２０やオーバフロー検出器９２からの検出信号による打球発射停止、各種表示装置の駆動などパチンコ遊技機全体の電気的な制御を行なうための制御装置２００及び遊技盤前面の各種変動入賞装置や可変表示型補助遊技装置等に内蔵された検出器からの信号に基づいてそれらの遊技動作を制御する遊技内容制御装置２１０が設けられている。
　パチンコ遊技機の分野では、遊技内容の単調化による遊技客離れを防止するため、遊技内容や意匠的な構成の異なる新しい遊技盤と交換することが行なわれるが、その場合にも遊技盤を除くパチンコ遊技機本体や裏機構盤はほとんど同一である。しかるに、そのような不変部分についてもその寿命に達する以前に遊技盤と一緒に交換してしまうことは非常に不経済である。
　上記実施例では、遊技盤の交換に際して遊技盤とその遊技内容制御装置２１０のみ交換すれば良いような構成にされている。つまり、遊技内容制御装置２１０は着脱可能な遊技盤の裏面に固定されており、賞品球排出装置２０や入賞球処理装置４０及びそれらの制御装置２００は、予備球貯留タンク２や各種誘導樋１０〜１７とともに遊技機本体と一体の裏機構盤１に固定されている。従って、遊技盤を交換する場合にも、本体及び裏機構盤の大部分はそのまま残し、継続して使用することができるようになり非常に経済的である。
　制御装置２００の外面には、賞品球排出装置２０における一回の排出動作に伴う排出球数を設定するため、ディップスイッチ等からなる賞球数設定器８１，８２が取り付けられている。また、裏機構盤１の上部には、打止め時や故障時に、賞品球排出装置２０を作動させることなく集合棚１０上の入賞球を排出させるためのマニュアルスイッチ（以下記憶排出スイッチと称する）８３が設けられている。つまり、この記憶排出スイッチ８３は、後述の賞品球排出装置２０内の排出センサ２５に代わって、擬似排出終了信号を与えるものである。
　第３図に、予備球の貯留タンク２と案内樋１１および賞品球排出装置２０の構造とその接続状態を示す。
　貯留タンク２は、裏機構盤１上部に形成された収納凹部に載置されるようにして取付けられる。図示しないが貯留タンク２の底壁の一端（図では左端）には開口部が形成され、この開口部に臨むように案内樋１１が取り付けられる。案内樋１１の底壁には踏板が回動可能に配設され、貯留タンク２内に予備球がなくなると踏板が上昇する。これを球不足検出器９３が検出して球補給要求信号を形成する。
　案内樋１１の途中には分流壁１１ａが設けられ、流下する球を２条に分離、整列させる。球ナラシ３は案内樋１１の上部に形成された支持部１１ｂに、ピン３ａにて垂下され、案内樋１１上を上下に重なり合って流下して来る球をくずして整列させる。球ナラシ４は、案内樋１１の両側に固定された支持片４ａに、ピン４ｂにて回動可能に支承され、案内樋１１上を流下する球の重なりを防止する。さらに、上記案内樋１１の途中、望ましくは賞品球排出装置２０の直前には、ピン４ｂを支点として回動可能な流下制御部材７が設けてある。この流下制御部材７の先端折曲片は２つに分割され、図中破線イのように回動されたとき各折曲片７ｃ，７ｄが、２条の誘導経路に対応して案内樋１１の上壁に形成された長孔１１ｃ，１１ｄ内に進入することにより、案内樋１１内の球の流下を阻止し、賞品球排出装置２０への供給を手動により中断できるようになっている。
　これによって、賞品球排出装置２０の保守点検や故障した場合の交換作業を容易に行うことができるようになる。
　また、上記流下制御部材７の一側には側方へ向かって操作片７ｂを突設し、手動による流下制御部材７の回動を容易に行えるようにしてある。さらに、この操作片７ｂと案内樋１１の側壁に設けたピン８との間にはスプリング９が張架され、このスプリング９によって流下制御部材７の状態を安定に保持できるようになっている。
　そして、上記案内樋１１の流下端部に、流下経路３０を一体的に有する賞品球排出装置２０が配設される。この場合、案内樋１１の流下端部の樋側面に係止片１１ｅを設け、また賞品球排出装置側の流下経路３０の始端上部及び下部に前方へ突出するガイド片３０ａを設け、このガイド片３０ａと係止片１１ｅとによって、案内樋１１と流下経路３０とを接続できるようにしてある。
　第４図〜第６図に、賞品球排出装置２０の詳細を示す。賞品球排出装置２０は、流下経路３０とこの流下経路３０内に進入して球の流下を制御する流下阻止部材２２およびその駆動手段たるソレノイド２１が一体的に結合されてなる。
　上記流下経路３０は、ゆるやかに傾斜した整列樋３１と、この整列樋３１の流下端部から略垂直下方に延設された調流樋３３と、整列樋３１と調流樋３３との接続部にあって流下する球を約９０度方向転換せしめる調整部３２と、上記調流樋３３の下端から約４５度斜め下方に向かって延設された誘導樋３４と、この誘導樋３４の終端から略垂直下方に延設された排出樋３５とにより構成されている。誘導樋３４と排出樋３５の境界部近傍には、流下経路３０の外側壁から一対の支持片３６が突出され、この支持片３６間には、支軸２４が横架されている。
　また、流下経路３０は案内樋１１に対応して２条形成されており、２条の流下経路３０に対応して、一対の扇状の流下阻止部材２２が上記支軸２４を中心として回転自在に装着されている。流下阻止部材２２に対応してソレノイド２１も一対設けられている。そして、この流下阻止部材２２の先端部が、上記流下経路３０の内壁部に設けられたスリットより進入し、上記誘導樋３４内に突出されている。上記流下阻止部材２２の先端後部は、リンク部材２３を介して上記ソレノイド２１のプランジャ２１ａの先端部に連結されており、プランジャ２１ａの伸縮に伴なって流下阻止部材２２が支軸２４の回りに往復回動され、先端部が誘導樋３４内に進入したり、後退したりするようになっている。これによって、球の流下を許容したり阻止したりして、所定数の排出を行なう。
　また、誘導樋３４の側壁は外部に膨出されて、収納部３７が形成され、この収納部３７には透過型光センサからなる排出球検出器２５が挿入されている。
　なお、上記ソレノイド２１の上方には、上記ソレノイド２１や排出球検出器２５から引き出されたリード線を一箇所に集中させ、かつ上記制御装置２００と接続するための配線を前方から一括して接続できるようにするためのコネクタ２６が配設されている。そして、上記流下経路３０の下端に、賞品球導出樋１３の始端に形成された係合部１３ａが係合されて接続が行なわれる。
　さらに、流下経路３０の入口部の整列樋３１の底面には、第５図に示すごとく、金属板のような導電性シート３８が貼付され、この導電性シート３８の一端はフレーム等に接地されている。これによって、流下球に帯電されていた静電気を逃して、排出球検出器２５の静電破壊を防止することができる。すなわち、検出器としてマイクロスイッチのような機械式のものを使用する方法も考えられるが、マイクロスイッチは復帰動作が遅いため連続して球が流下してくるとオン状態になりっぱなしになるおそれがあると共に、チャタリングを起こし易い。また、長期間の使用により接点不良も生じやすい。そのため、マイクロスイッチは賞品球排出装置のように連続した球の検出を行なう検出器としては適していない。そこで、上記実施例では、排出球検出器２５として光センサを使用している。しかしながら、光センサはＩＣで形成されているため静電気に弱く、しかも排出球は案内樋１１内を流下してくる間に、樋との摩擦で静電気を帯び、この静電気によってセンサが破損され易くなるという不都合がある。その不都合を、上記実施例は整列樋３１の底面に貼付した導電性シ一ト３８で放電して回避するものである。また、導電性シート３８の材料を選択することにより球と樋との摩擦力を減らして、球の流れを円滑にさせることもできる。
　さらに、上記賞品球排出装置２０の流下経路を構成する整流樋３１の上壁及び調流樋３３の外壁には、第３図に示すようにそれぞれスリット３１ａ及び３３ａを設けてある。これによって、流下経路に異物等が侵入して賞品球排出装置２０内で球詰まりを起こしたり、円滑な流下が阻害されたような場合に、このスリット３１ａまたは３３ａよりピンなどの工具を挿入して異物を除去することができる等、メインテナンスが容易となる。上記スリット３１ａ及び３３ａには、スリットと略同じ大きさの段部３９ａを有する蓋部材３９を係合させて、ビス等に固定して閉塞するようにしてある。
　次に上記のごとく構成された流下経路３０と流下制御装置２０の作用を第６図を用いて詳細に説明する。
　上記賞品球排出装置２０は、流下阻止部材２２が第６図に実線で示すごとく誘導路３４内に進入している状態では、流下経路３０内に整列されたパチンコ球Ｂは、最先端の球Ｂ１が流下阻止部材２２の外周面に接触することで停止されている。このとき、誘導樋３４内に２個の球Ｂ１，Ｂ２が、また、調流樋３３内に３個の球Ｂ３，Ｂ４，Ｂ５が収納されるように、誘導樋３４と調流樋３３の寸法が各々決定されている。しかも、調流樋３３内の最上方の球Ｂ５は、整列樋３１内の球Ｂ６，Ｂ７‥‥に押されて、テーパ状の調整部３２に当接されるようになっている。調整部３２に向かって押圧されることにより球Ｂ５は調整部３２から反発力を受けて、その反発力は球Ｂ５およびその下方の球Ｂ４，Ｂ３‥‥に伝わり、それらを下方へ押し上げるように作用する。その結果、流下阻止部材２２が第６図に破線Ｃで示すごとく誘導樋３４内から後退されたとき、調整部３２からの反発力および球の自重によって、調流樋３３および誘導樋３４内の球Ｂ１〜Ｂ５は速やかに流下し始めるようになる。
　球Ｂ１〜Ｂ５が流下すると整列樋３１内の球Ｂ６，Ｂ７‥‥がこれに続いて流下を開始する。そして、整列樋３１の出口で先ず調整部３２に衝突して流下速度を減じられ、かつ流下方向が水平方向から垂直方向へ略９０°変換され、調流部３３に入る。そこでは自重による加速が行なわれるため、調整部３２で減速される後続の球との間に球間隔が確保されるようになる。そのため、例えば球Ｂ７を検出した時点でソレノイド２１を消磁したとき、流下阻止部材２２の動作に遅れがあっても球Ｂ７が通過する前に、流下を阻止してやることができるようになる。このように球間隔を大きくすることにより、流下阻止部材の制御が容易となる。ただし、Ｂ７を検出してソレノイド２１をオフしたときに排出される賞品球は６個である。
　さらに、上記流下経路３０は、流下阻止部材２２によって球の流下が阻止されている状態で調流樋３２の最上方に位置する球Ｂ５の中心Ｏ５が、整列樋３１内に整列している球Ｂ６，Ｂ７‥‥の中心Ｏ６，Ｏ７‥‥を結ぶ中心線の延長線より下方に位置きれるように、誘導樋３４および調流樋３３の寸法が決定されている。
　そのため、待機中の球Ｂ６，Ｂ７‥‥からＢ５へ伝わる圧力は球Ｂ５を押し下げるような分力を生じる。これによって、流下阻止部材２２が後退したときに、調流樋３３最上方の球Ｂ５が後続の球Ｂ６と調流樋３３の外側壁３３ａとの間にはさまれて、球Ｂ１〜Ｂ４の流下に追従して流下しようとするのを妨げられることがない。誘導樋３４の途中に設けられている排出球検出器２５は、その検出光軸Ｆが樋内を流下する球の中心から少し外れた位置に来るように配設されている。検出光軸Ｆが球の中心を通るように位置決めされていると複数個の球が連続して流下して来た場合、検出信号のパルス間隔が狭くなって正確な計数が行えなくなるおそれがある。しかるにこの実施例では、上記のごとく、検出光軸Ｆを球の中心からずらしたことにより、正確な計数が可能となる。
　また、扇形をなす流下阻止部材２２の回転面が流下する球の中心の流下軌跡と一致するように流下阻止部材２２が取付けられ、誘導樋３４の上方から下方に向かって樋内に進入するように移動されて、流下する球を停止させるようになっている。そのため、流下する球が停止するとき流下阻止部材２２に働く衝撃力を、流下阻止部材２２の回転範囲を制限するストッパ部（例えば流下阻止部材２２が進入する誘導樋３４のスリット端部）で受け止めることができるので、容易に停止時に働く衝撃に耐える強度を持たせることができる。
　しかも、最下端の球Ｂ１は扇形の流下阻止部材２２の外周面に接触して停止されるため、最下端の球Ｂ１が流下阻止部材２２の外周面と誘導樋３４の壁面との間に食い込むような形で停止されても、流下阻止部材２２が後退される時にはその外周面で球Ｂ１を回転させるようにしながら離れていく。そのため、比較的小さな力で流下阻止部材２２を後退させることができ、流下阻止部材２２と誘導樋３４の壁面との間に球が挟まれて動かなくなるようなことがなくなる。
　さらに、流下阻止部材２２の回転中心と誘導樋３４内の最下端の球Ｂ１の中心Ｏ１とを結ぶ線が水平になるように配設されている。そのため、流下阻止部材２２の端部が球Ｂ１の外周からはずれると直ぐに球Ｂ１が流下可能になり、流下阻止部材２２の回転に伴って球Ｂ１が少しずり下がってから阻止力が外され、流下を開始するようなことがない。
　また、上記実施例において、調流樋３３と誘導樋３４とのなす角度αは０〜９０°の範囲にあればよいが、４５°前後に設定してやると、調流樋３３内で加速された流下球のスピードを大きく減速させることがなく、しかも停止時に流下阻止部材２２にかかる負荷を軽減させることができる。
　さらに、上記実施例では、流下阻止部材２２によって球の流下が阻止されている状態で、流下阻止部材２２と誘導樋３４内の最下端の球Ｂ１との接触点から球の直径分だけ離された点を通る鉛直線Ｇと排出樋３５の壁面３５ａとの距離ｄが球の半径ｒよりも小さく、かつｒ−ｒｃｏｓαよりも大きくなる（ｒ−ｒｃｏｓα＜ｄ＜ｒ）ように誘導樋３４の終端３４ａの位置が決定されている。これによって、流下阻止部材２２が誘導樋３４内に進入して球の流下を阻止する際に、最後に排出される球が流下阻止部材２２の端面２２ａで後押しされるようにして排出されたとき、誘導樋３４の終端３４ａまで来ると排出樋３５内に流下して流下阻止部材２２から逃げることができる。そのため、最終排出球がいつまでも誘導樋３５内に残って、流下阻止部材２２が進入するときの妨げとならず、迅速な排出の停止が可能となる。
　第７図に入賞球処理装置４０の一実施例の詳細を示す。
　裏機構盤１の裏面に設けられた集合棚１０は中央に向かって下り傾斜され、中央に流路変換部１０Ｃが設けられている。この流路変換部１０Ｃは、左右の集合棚１０Ａ，１０Ｂに段差を生ぜしめる垂直壁１０ａと、この垂直壁１０ａに固定され右側の集合棚１０Ａより流下してきた入賞球を前方へ方向転換せしめるべく前端が円弧状に形成されてなる誘導片１０ｂと、誘導片１０ｂの下方の集合棚１０Ａの終端部にて前方へ緩やかに下り傾斜するように形成されたテーパ部１０ｃとにより構成されている。
　上記流路変換部１０Ｃに対応して、集合棚１０を覆うように取り付けられるパネルと一体の保持枠４１には球一つが通過可能な流入口４１ａが形成され、この流入口４１ａの一側及び下辺に沿ってＬ字状の入賞球案内板４２が設けられ、流入した入賞球は９０度方向転換せしめられる。
　上記入賞球案内板４２の側方に位置するように球処理器４３が支軸４４によって揺動可能に取り付けられている。この球処理器４３の上記入賞球案内板４２に対向する側には、凹状をなす球受け部４３ａが形成されていると共に、その反対側には錘４５が取り付けられ、通常状態において錘４５の取付け側がその重みで下がるようになっている。そして、反対側の球受け部４３ａの下辺が上記入賞球案内板４２の下面に当接してそれ以上の回転が阻止され、バランスが保たれる。この状態で第８図（Ａ）のように入賞球案内板４２上から球受け部４３ａに入賞球が流下してくると、球の重みによって球処理器４３が時計回り方向へ回転するように、錘４５の重さが決定されている。流入した球の重みによって回転した球処理器４３は下辺が保持枠４１に当接することにより停止される。
　球処理器４３には、この停止状態で上記入賞球案内板４２に対向する位置に阻止片４３ｂが突設されている。これによって、２以上の入賞球が連続して発生した場合に、２番目以降の入賞球は第８図（Ｂ）のように阻止片４３ｂによって流下が阻止されて、入賞球案内板４２上で待機させられる。また、その取付け位置は制限されないが、例えば球処理器４３の上部に、検知片４３ｃが設けられていると共に、この検知片４３ｃに対応して保持枠４１には、一対の投光器及び受光器を対向配設してなる光センサのようなセーフセンサ９１が取り付けられている。
　さらに、上記球処理器４３の側方にはソレノイド４６が配設されており、球受け部４３ａに入賞球が流入することによって回動された球処理器４３の球受け部下辺に対向する位置に、上記ソレノイド４６のプランジャ４６ａ先端に固着されたストッパ４７が臨むようにされている。このソレノイド４６は、消磁状態においてプランジャ先端のストッパ４７が、スプリング４８によって下方へ引き下げられ、球受け部４３ａに保持されて下方の入賞球導出樋１２に向かって流下しようとしている入賞球に当接してその流下を阻止するようにされる（第８図（Ｂ）参照）。そして、ソレノイド４６が励磁されるとプランジャ４６ａが収縮してストッパ４７が上昇され、球受け部４３ａ内に保持されていた入賞球が導出樋１２へ向かって流下する。なお、ストッパ４７には操作片４７ａが突設されており、玉詰まりやソレノイドの故障時等において、パチンコ店の係員が手動でストッパ４７を移動させて入賞球を排出できるようにされている。
　ソレノイド４６は例えば賞品球排出装置２０における排出終了信号を受けて作動されるようにされる。ソレノイド４６が励磁されて入賞球が流下させられると、球処理器４３が錘４５の重みによって反時計回り方向に回動されて、阻止片４３ｂが上昇する。そのため連続して発生し入賞球案内板４２上で待機させられていた次の入賞球が球受け部４３ａ内に流入し、再び球処理器４３が時計回り方向に回転される。このようにして、上記動作を繰り返すことにより、短時間に発生した多量の入賞球が速やかに分離検出され、処理される。
　前述したように賞品球排出装置２０として、ソレノイドによって流下阻止部材２２を流下経路３０内に進入させたり後退させたりして賞品球の排出を制御するストッパ式のものを使用した場合、単に入賞球導出樋の途中にセーフセンサを取り付けて入賞球を検出し、それを電気的に記憶しておくことにより、高速の排出制御を行なわせることも可能である。
　これに対し、上記実施例の入賞球処理装置４０では、球処理器４３によって入賞球を一個ずつ分離して検出しているので、前の入賞球と次の入賞球との検出間隔を必要かつ充分にとれる。そのため、連続して発生した入賞球をより正確に検出することができる。なお、球鞘ケース方式の賞品球排出装置を用いた従来の遊技機においても入賞球を一個ずつ分離して賞品球の排出制御を行なっているが、従来の入賞球処理装置では、分離された入賞球でレバーを動かしてその動きで球鞘ケースのストッパを外して傾動させて排出させ、さらにこの球鞘ケースの傾動を物理的に球処理器に伝えて、次の入賞球の流下を許容させるようになっているため、上記実施例の入賞球処理装置に比べて応答速度が遅く、短時間に多量に発生する入賞球の処理には不向きである。
　また、上記実施例の入賞球処理装置４０では、賞品球排出装置２０における排出終了を確認してからソレノイド４６を作動させて前の入賞球を排出し、次の入賞球の検出に進むように制御できるので、入賞球が発生したのに賞品球が払い出されないといったような、遊技客と遊技店との間で生じるトラブルを防止することができる。つまり、賞品球の排出がなければ入賞球はストッパのところに残っているので、そこを見れば遊技客の主張が正しいか否かすぐに分かる。しかも、入賞球と賞品球の排出が一対一の関係にあり、排出が停止している間は入賞球の処理も中断され、かつ未排出に係る入賞球は待機させられているため、停電対策が不要となる。つまり、入賞球を予め検出してメモリやカウンタに電気的記憶させておくようにすると、停電時に記憶数が消滅されてしまわないようにするため電池によるバックアップ等の停電対策が必要であるが、上記実施例の入賞球処理装置を使用するとその必要性がなくなる。
　さらに、上記実施例においては、入賞球の検出を、球処理器４３の回動の検出という間接的な方法で行なっているため、パチンコ球に帯電した静電気によるセーフセンサ９１の誤動作が防止される。つまり、上記実施例の場合、入賞球の通過経路にセンサ９１を臨ませておくことにより直接入賞球を検出することも可能であるが、そのようにするとセンサが入賞球に帯電した静電気により誤動作されるおそれがあるが、間接的に検出することによりセンサの誤動作を防止することができる。
　なお、上記実施例では、入賞球処理装置を第７図のごとく構成したのに対応して、右側の集合棚１０Ａに傾斜角αとして６〜８°の角度を与え、左側の集合棚１０Ｂには傾斜角βとして１４〜１６゜の角度を与えて左右の集合棚１０Ａと１０Ｂを流下する入賞球の速度を異ならしめると共に、垂直壁１０ａの高さｈを１２ｍｍ以上に設定している。これによって、複数個の入賞球が発生して左右から同時に入賞球が流下して来ても流路変換部１０Ｃでの球詰まりを未然に防止できるようになっている。
　次に、上記賞品球排出装置２０を制御して所定数の賞品球の排出や打球発射装置１０３等の制御を行う制御装置２００の一実施例について、第９図を用いて説明する。
　この実施例では、賞品球排出装置２０等の制御をＣＰＵ（マイクロコンピュータ）２００’を用いて行なうようになっている。
　ＣＰＵ２００’には、前記実施例における賞球数設定器８１，８２や記憶排出スイッチ８３、球抜きスイッチ８４、セーフセンサ９１、オーバフロー検出器９２、球不足検出器９３が入力される。賞球数設定器８１，８２を設けることにより、賞品球数の異なる機種（パチンコ機）を制御できる。また、ＣＰＵ２００’には、賞品球排出装置２０の流下経路３０の途中に設けられた一対の排出球検出器（以下排出センサと称する）２５からの排出球検出信号が、入力されるようになっている。
　さらに、ＣＰＵ２００’には、図示しないパチンコ店の集中管理装置からの打止め指令信号が入力される。
　ＣＰＵ２００’は、内部に読出し専用メモリたるＲＯＭ２０１および随時読出し書き込み可能なメモリたるＲＡＭ２０２を有している。このうち、ＲＯＭ２０１には、賞品球排出装置２０等の制御を行うためＣＰＵ２００’が実行すべきプログラムおよびセーフソレノイド４６の一回当たりの駆動時間やウェイト時間（排出間隔）のような固定データを記憶する。
　一方、ＲＡＭ２０２は、上記排出センサ２５からの排出球検出信号に基づいて各流下経路３０から排出された球の累積数等を記憶するメモリ領域や各流下経路の排出球数を設定したり、ソフトタイマを構成するレジスタ領域および排出ソレノイドのオフ時に排出センサからの検出信号を計数する不正カウンタ等を提供している。
　さらに、ＣＰＵ２００’には、ドライバ２２０を介して、賞品球排出装置２０内の一対のソレノイド（以下排出ソレノイドと称する）２１や入賞球処理装置４０内のソレノイド（以下セーフソレノイドと称する）４６、さらに、賞球ランプ１１１、完了ランプ１１２、オーバーフローランプ１１３や不正警告表示ランプ１１４、動作不良表示ランプ１１５、賞球数表示器１１６、パイロットランプ１１７等の表示装置（いずれも第２図参照）およびスピーカ１２０、打球発射装置１０３などが接続されている。ＣＰＵ２００’はＲＯＭ２０１内のプログラムに従って、上記設定器や各種検出器及びスイッチからの信号に基づいて賞品球排出装置２０や各種表示ランプ、打球発射装置１０３などを駆動するようになっている。
　ＣＰＵ２００’の主たる処理は、オーバーフロー処理，タンク処理，球抜き処理，入賞球検出処理，賞品球排出処理である。ただし、処理の手順は、上記順序に限定されず、いずれの処理から実行するようにしてもよい。上記処理をタイマ割込みなどにより繰返し実行することによってパチンコ遊技機の制御が行なわれる。
　ここで、オーバーフロー処理は、オーバーフロー検出器９２からの検出信号を検知して、例えば、オーバーフローランプ１１３を所定の時間（１０〜２０秒）点灯もしくは点滅させ、それでもオーバーフロー状態が解除されていない場合には、打球発射装置１０３による発射動作を停止させることを内容とする。これによって、賞品球導出樋１３内が賞品球排出装置２０の近くまで賞品球で満たされて、排出動作に悪影響を及ぼすのを回避することができる。
　タンク処理は、貯留タンク２が空になって玉不足検出器９３がオフされたことを検知すると、例えば、球の補給要求を集中管理室に送ると共に完了ランプ１１２を点灯させ、これと同時にもしくはその後賞品球排出装置２０内の排出センサ２５の信号に基づいて玉無し状態を検知すると、打球発射装置１０３を停止させる。球補給要求信号が集中管理室に送られると、集中管理質からの指令によって、タンク上方の補給装置（図示省略）が作動されて、貯留タンク２への補給が行なわれる。この実施例では、玉不足検出器９３からの信号によってタンクの玉有り状態が検出されても直ちに賞品球の排出を再開させず、第１０図に示すように例えば２秒のディレイ時間ｔｄを経過するのを待ってから再開させるようになっている。ディレイ時間を入れたのは、タンクへの補給がなされてから案内樋１１が予備球で満たされるまでの時間差を考慮したもので、これによって賞品球排出装置２０における空排出が防止される。
　球抜き処理は、球抜装置６０の切替ゲートが球抜樋１６の入口を開いて賞品球導出樋１３の入口を閉鎖する方向に切り替えられたことを、球抜きスイッチ８４からの信号に基づいて検知すると、賞品球排出装置２０内のソレノイド２１を作動させて、２条の流下経路３０を通して連続的に予備球を排出させて、貯留タンク２を空にするものである。
　入賞球検出処理と賞品球排出装置は、相互に関連し複雑になるので、第１１図に詳細な処理手順を示し、以下これに基づいて説明する。
　電源投入または割込み発生により処理が開始されると、先ず入賞球を検知する前に、入賞球数を記憶するセーフメモリや各種レジスタ類の初期設定を行なった後（ルーチンＲ１）、賞品球排出装置２０における各流下経路ごとの一回の排出球数（以下排出基数と称する）の決定を行なう（ルーチンＲ２）。
　前記実施例の遊技機においては、排出球数の設定のためディップスイッチからなる賞球数設定器８１，８２が設けられている。そこで、ＣＰＵ２００’はこれらのスイッチ８１，８２のオン，オフ状態の組み合わせに応じて、例えば次表のように排出基数１と２を決定すると共に、合計の賞品球数を遊技機前面の表示器１１６に表示させる。ここでは、一例として合計の賞品球数を１１個、１３個、１５個のいずれかに設定する場合が示されている。
　上記表１において排出ソレノイド１側とは、２条の流下経路のうち取付け基板に近い側の経路に設けられたソレノイドを指し、上記表１においては排出ソレノイド１側の排出基数の方が常に排出ソレノイド２側よりも大きくなるように決定されている。このような関係に設定しているのは、流下経路を２条とした場合、貯留タンク２から案内樋１１を通って賞品球排出装置２０へ向かって流下する球の流れが基板に近い側の流下経路の方が円滑であり、遠い側の方は常に球が不足がちになり易いことが実験的に明らかになったからである。そこで、表１のように常に排出ソレノイド１側の排出基数を大きくしておくことにより、２条の流下経路に対する球の供給のバランスを図ることが可能となる。
　なお、第３図に示した賞品球排出装置２０により、設定されたｎ個の賞品球を排出させる場合、排出センサ２５の取付け位置の下流側に、流下阻止部材２２によって阻止されている球が一つあり、排出センサ２５が一つ前の球を検出している状態で次の排出指令を待つことになる。そのため、実際の制御では、設定数ｎよりも「１」少ないｎ−１個目の球を排出センサが検出した時点で流下阻止部材２２を作動させるソレノイド２１に対する制御信号を変化させてやる必要がある。上記排出基数設定処理（ルーチンＲ２）が終了すると、２秒間のアイドルタイムの経過を待って（ルーチンＲ３）、次のルーチンへ進み、セーフセンサが一定時間オンされているか否か判定するＲ４）。ここで、ノオ（否）と判定されると、次のルーチンＲ５でセーフセンサの出力の立上りがあったか否か判定し、ノオならばそのままルーチンＲ７へ進む。一方、上記ルーチンＲ４とルーチンＲ５のいずれかにおいてイエスつまりセーフ球有りと判定されると、ルーチンＲ６へ進んでＣＰＵ内のセーフメモリの記憶を「１」だけ増やしてからルーチンＲ７へ進む。
　ルーチンＲ７では処理番号の入るレジスタ内の番号が「１」になっているか否か判定し、イエスならば符号Ａで示される排出球検出処理ヘジャンプする。しかして、処理番号レジスタはルーチンＲ１での初期設定で「０」にリセットされているため、ルーチンＲ７での最初の判定ではノオとなって、次のルーチンＲ８へ進む。ここでは、処理番号レジスタ内の番号が「２」であるか否か判定し、イエスならば符号Ａで示される後処理へジャンプすることになるが、最初の判定ではルーチンＲ７と同様にノオとなって、ルーチンＲ９の不正検出処理へ進む。
　第１２図に、その不正検出処理の具体的な手順の一例を示す。この処理では、先ず排出センサ１の出力信号の立上りエッジがあったか否か判定する（ルーチンＲ９１）。ここで、イエスつまり立上りエッジ有りと判定すると、ルーチンＲ９２へ移行して不正カウンタ１に「１」を加えてから次のルーチンＲ９３でこの不正カウンタの値が２を越えたか否か判定する。上記ルーチンＲ９１とＲ９３でそれぞれノオと判定するとルーチンＲ９４へ進み、ここで排出センサ２の出力信号の立上りエッジがあったか否か判定する。ここで、イエスつまり立上りエッジ有りと判定すると、ルーチンＲ９５へ移行して不正カウンタ２に「１」を加えてから次のルーチンＲ９６でこの不正カウンタ２の値が２を越えたか否か判定する。上記ルーチンＲ９３またはＲ９６のいずれか一方でイエスと判定されるとルーチンＲ９７へ移行する。つまり、不正カウンタ１または２の一方の値が「２」を越えたということは、排出ソレノイドがオフにもかかわらず排出球があったということ、すなわち不正に賞品球排出装置のストッパが外されたか、排出ソレノイドが故障してストッパが外れたかいずれか一つである。なぜなら、正常状態では後述のごとく排出ソレノイドがオンされる（ルーチンＲ１４）と、ルーチンＲ１５で処理番号が「１」に変更されてからルーチンＲ５へ戻り、ルーチンＲ７から賞品球排出処理Ａへ移行してしまうので、その場合には不正カウンタ１，２は２以上にカウントアップされることがないからである。
　そこで、ルーチンＲ９３またはＲ９６のいずれか一方でイエスと判定すると、ルーチンＲ９７へ移行して打球発射用のモータを停止させてから、不正警告表示ランプ１１４を点灯させ（ルーチンＲ９８）、さらにスピーカ１２０により警告音を発生させて処理を終了する（ルーチンＲ９９）。不正警告表示を見て遊技店の係員が賞品球排出装置のソレノイドを検査すれば、不正がなされたのかソレノイドが故障したのか容易に判断することができる。
　なお、ルーチンＲ９１またはＲ９３のいずれか一方でノオと判定されてからルーチンＲ９４へ進み、ルーチンＲ９４またはＲ９６のいずれか一方でノオと判定されると、ルーチンＲ１０へ進む。
　ルーチンＲ１０ではセーフメモリの記憶が「０」でないか判定し、ノオすなわち入賞記憶が「０」のときは上記ルーチンＲ５へ戻る。しかして、ルーチンＲ６で入賞記憶がインクリメントされてからルーチンＲ１０へ来た場合にはイエスと判定されて、ルーチンＲ１１〜Ｒ１５からなる一連の処理へ移行する。
　すなわち、入賞記憶があると先ずルーチンＲ１１でセーフランプ（賞球ランプ１１１）を点灯させてから、ルーチンＲ１２で排出レジスタ１にルーチンＲ２で決定した排出基数１（表１参照）を、またルーチンＲ１３で排出レジスタ２に排出基数２をそれぞれロードする。それから、ルーチンＲ１４で排出ソレノイド１と２をオンさせてから、ルーチンＲ１５で処理番号レジスタに「１」をセットして、ルーチンＲ５へ復帰する。そして、再び上記処理を繰り返すわけであるが、今度は処理番号レジスタが「１」にセットされているため、ルーチンＲ７でイエスと判定されて排出球検出処理Ａへジャンプする。
　この排出球検出処理Ａでは、先ず排出センサ１の出力の立上りがあったか否か判定し（ルーチンＲ２）、ノオならばそのままルーチンＲ２５へ進み、排出センサ２の出力の立上りがあったか否か判定する。しかして、ルーチンＲ２１でセンサ出力の立上りが検知されるとルーチンＲ２２へ進み、ここで排出レジスタの内容を「１」だけ減算してから、次のルーチンＲ２３で排出レジスタの値が「０」になったか否か判定する。ここで、イエスと判定されると排出ソレノイドをオフさせる（Ｒ２４）が、排出開始直後はルーチンＲ２３でノオと判定され、ルーチンＲ２５へ進む。
　ルーチンＲ２５〜２８では排出系２について、上記排出系１に関する処理（ルーチンＲ２１〜Ｒ２４）と同様の処理を実行してから、ルーチンＲ２９へ進む。ルーチンＲ２９では、排出レジスタ１と２の値の和が「０」か否か判定し、ノオすなわち「０」になっていない場合には、ルーチンＲ５へ復帰して、再び上記手順を踏む。しかして、ルーチンＲ２９でイエスつまり賞品球排出装置において所定数の賞品球の排出が終了したと判定されると、ルーチンＲ３１へ進み、先ずセーフソレノイドをオンさせる。
　これによって入賞球処理装置において次の入賞球の取り込みが可能となる。セーフソレノイドをオンさせた後は、ルーチンＲ３２でセーフソレノイド用のタイマ（例えば１００ｍｓ）を、またルーチンＲ３３でウェイト時間用のタイマ（例えば６００ｍｓ）をそれぞれセットする。それから、ルーチンＲ３４で上記不正カウンタ１と２をゼロにリセットした後、ルーチンＲ３５で処理番号レジスタの内容を「２」に変更し、ルーチンＲ５へ復帰する。
　すると、今度はルーチンＲ７から後処理Ｂヘジャンプし、先ずルーチンＲ４１でセーフタイマがタイムアツプしたか判定し、ノオならばそのまま、またイエスならばセーフソレノイドをオフして（ルーチンＲ４２）がら、ルーチンＲ４３へ進む。ルーチンＲ４３ではウェイトタイマがタイムアップしたが否が判定し、ノオならばそのままルーチンＲ５へ戻って再び上記処理を繰返し、イエスならばルーチンＲ４４でセーフメモリの入賞記憶を「１」だけ減算してから処理番号レジスタを「０」にリセットしてルーチンＲ５へ復帰する（ルーチンＲ４５）。
　第１３図には、上記手順にしたがって入賞球処理及び賞品球排出処理が実行された場合の各種信号のタイミングが示されている。
　つまり、セーフセンサの出力の立上りを受けてセーフメモリの入賞記憶が「１」になり、セーフランプが点灯されかつ排出ソレノイド１と２がオン状態にされる。すると、賞品球の排出が開始されて、排出センサ１と２の出力が排出球ごとに変化し、所定数（表１の基数−１）に達した時点でソレノイドの消磁指令が発せられ、対応する排出ソレノイドがオフされるともにセーフランプがオフされる。また、これとともにセーフソレノイドがおよそ１００ｍ秒間だけオンされて入賞球が排出され、次の入賞球の受け入れが可能となる。一方、セーフソレノイドのオンと同時に排出ウェイトタイマがオンされ、これがタイムアップするまで（６００ｍｓ）次の賞品球の排出開始が待たされることになる。
　セーフソレノイド用タイマの設定時間が１００ｍｓとされていることにより、セーフソレノイド４６によって駆動されるストッパ４７が１００ｍｓの間上昇されて、このストッパ４７によって阻止されていた入賞球が確実に排出され、かつ次に入賞球処理装置４０に流入した入賞球を待機させるための態勢へ速やかに移行することができる。
　また、排出ウェイトタイマの設定時間が６００ｍｓとされていることにより、排出終了後案内樋１１内の球の状態が安定してから次の排出へ移ることができ、排出の正確さが保証される。
　さらに、上記実施例のパチンコ遊技機においては、賞品球排出装置２０内の排出ソレノイド２１の駆動回路に特別な工夫が加えられている。すなわち、第１４図に示すように、電源電圧端子ＶＡと接地点との間に接続される各種表示ランプＬや排出ソレノイド２１、セーフソレノイド４６は、それらと直列に接続されたスイッチ・トランジスタＴｒ１，Ｔｒ２，Ｔｒ３等をオン・オフさせることによって駆動されるようになっているが、上記実施例では、排出ソレノイド２１と並列に、電源電圧のピーク値よりも高い例えば２４Ｖのようなツェーナ電圧を有するツェーナダイオードＤｚが接続されている。
　そのため、上記電源電圧端子ＶＡにＡＣ２４Ｖの交流を全波整流した電圧が印加された場合、トランジスタＴｒ２をオフさせると通常は第１５図（Ａ）のようにソレノイドが完全に消磁されるまでにｔ１時間要していたものが、ツェーナダイオードＤｚがソレノイドのコイルと並列に接続されていると、これがエネルギ強制放出手段として作用して、ソレノイドの消磁時間が短縮される。つまり、第１５図（Ａ）と（Ｂ）の斜線の部分の面積Ｓ１とＳ２とが等しくなるような時間ｔ２がツェーナダイオードＤｚを入れた場合の消磁時間となる。これによって、ツェーナ電圧が２４Ｖの場合、ツェーナダイオードを入れない場合に比べて消磁時間がおよそ２分の１になりその分賞品球排出装置２０における流下阻止部材２２の応答速度が早くなる。
　なお、第１４図においてツェーナダイオードＤｚと直列に逆方向接続されているダイオードＤ１はソレノイドの逆起電力からトランジスタＴｒ２を保持するためのもので、セーフソレノイド４６のスイッチ・トランジスタＴｒ３にも同様の保護ダイオードＤ２が設けられている。ただし、セーフソレノイド４６は排出ソレノイド２１に比べてそれほど早い応答性を必要としないため、ツェーナダイオードＤｚは不要としてある。
　なお前記実施例では、セーフセンサ（入賞球検出器）９１を作動させる検知片４３ｃを揺動可能な球処理器４３に設け、この球処理器４３の揺動を検出することで間接的に入賞球の検出を行なっているが、それに限定されず、入賞球を直接検出するセンサもしくはマイクロスイッチを設けるようにしてもよい。
［効果］
　以上説明したようにこの発明は、複数の入賞領域を備えた遊技盤と、流下してくる遊技球の通過を許容したり阻止したりすることで遊技球の排出を制御するための作動部材および該作動部材に関連させた駆動源とを備え１個宛遊技球を排出可能な球排出装置と、上記入賞領域に入賞した遊技球を１個宛検出可能な入賞球検出手段と、排出指令信号に基づいて上記球排出装置の駆動源を制御して所定数の遊技球を排出させる制御を、読出し書込み可能なメモリを内蔵し読出し専用メモリに格納されたプログラムに従って実行可能なマイクロコンピュータを含む制御手段と、を備えたパチンコ遊技機において、上記球排出装置には、排出される遊技球の流下を１個宛検出する排出球検出器を設け、上記排出球検出器からの検出信号を検出の都度上記制御手段に供給するとともに、上記制御手段には、上記排出球検出器からの検出信号に基づいて上記読出し書込み可能なメモリ内に予め設定された所定の排出数に相当する値から上記検出の都度「１」ずつ減算することにより排出される遊技球を計数して排出数が所定数に達したときに排出を終了させる排出終了手段と、上記駆動源へ駆動信号が出力されておらず上記作動部材が遊技球の通過を阻止している状態で、上記球排出装置から実際に排出された遊技球を上記排出球検出器からの検出信号に基づいて不正カウンタにより計数してこの計数値が「１」以上の所定数を越えたときに上記球排出装置の不適正作動状態を検出する不適正作動状態検出手段とを設けるようにしたので、作動部材が作動状態にないのにも拘らず遊技球が排出されて上記排出球検出器から検出信号が出力される上記球排出装置の不適正な状態が検出可能になり、遊技客による球排出装置に対する不正を防止し、もってパチンコ遊技の健全化を図るとともに、パチンコ遊技店が不測の損害を被るおそれをなくし、経営の安定化を図ることができるという効果がある。
【図面の簡単な説明】
　第１図は、本発明に係るパチンコ遊技機の裏機構盤全体の構成例を示す背面図、
　第２図は、本発明に係るパチンコ遊技機の概略正面図、
　第３図は、予備球の貯留タンク、案内樋及び賞品球排出装置の構成例を示す斜視図、
　第４図は賞品球排出装置の構成例を示す斜視図、
　第５図は、その賞品球排出装置の流下経路の断面状態を示す斜視図、
　第６図は、賞品球排出装置の作用を示す作用説明図、
　第７図は入賞球処理装置の構成例を示す斜視図、
　第８図（Ａ），（Ｂ）は、その入賞球処理装置の作用を示す作用説明図、
　第９図は、パチンコ遊技機の制御システムの一例を示すブロック図、
　第１０図は、貯留タンクへの補給を行なうタンク処理におけるタイミングを示すタイミングチャート、
　第１１図はＣＰＵによる入賞球検出処理及び賞品球排出処理の手順の一例を示すフローチャート、
　第１２図は、その中の不正検出処理の具体的な手順の一例を示すフローチャート、
　第１３図は、第１１図の手順に従った処理のタイミングチャート、
　第１４図は、各種ランプ及びソレノイドの駆動回路の一例を示す回路説明図、
　第１５図（Ａ），（Ｂ）は、従来とこの発明の実施例におけるソレノイド駆動回路によるソレノイドの遮断時の特性の相違を示す説明図である。
　１‥‥裏機構盤、２‥‥貯留タンク、１０‥‥集合棚、１１‥‥案内樋、１２‥‥入賞球導出樋、１３‥‥賞品球導出樋、２０‥‥賞品球排出装置、２２‥‥流下阻止部材、２５‥‥排出センサ、３０‥‥流下経路、４０‥‥入賞球処理装置、４３‥‥球処理器、４５‥‥ウェイト、４６‥‥セーフソレノイド、４７‥‥ストッパ、９１‥‥入賞球検出器（セーフセンサ）、９２‥‥オーバーフロー検出器、６０‥‥球抜き装置、１００‥‥パチンコ遊技機、１０１‥‥供給皿、１０２‥‥受け皿、１０３‥‥打球発射装置、１１４‥‥警告報知手段（不正表示ランプ）、２００‥‥制御装置。